(57)【特許請求の範囲】
【請求項１】
刃体を組み付けた剃刀頭部を収容し得る収容部を有する剃刀用ケースにおいて、この収容部には開状態と閉状態とを取り得る開閉蓋を設け、前記剃刀頭部を前記収容部に入れる収容動作に伴いこの開閉蓋が開状態から閉状態になるように剃刀と係合する閉動連係部と、前記剃刀頭部を前記収容部から出す取出動作に伴いこの開閉蓋が閉状態から開状態になるように剃刀と係合する開動連係部とを備えたことを特徴とする剃刀用ケース。
【請求項２】
前記収容部において開閉蓋は回動支持部で回動可能に支持した一対の蓋部を有し、この両蓋部は開状態で互いに離間するとともに閉状態で互いに接近することを特徴とする請求項１に記載の剃刀用ケース。
【請求項３】
前記両蓋部は回動支持部から延設されて開口部で相対向する袋部を有し、前記閉動連係部及び開動連係部はこの袋部に設けられていることを特徴とする請求項２に記載の剃刀用ケース。
【請求項４】
前記収容動作は、両袋部の開口部間に設けた収容間隙で剃刀頭部を両袋部の閉動連係部へ向けて移動させて両袋部内に入れる動作であり、
前記取出動作は、この収容間隙で剃刀頭部を両袋部の開動連係部へ向けて移動させて両袋部内から取り出す動作である
ことを特徴とする請求項３に記載の剃刀用ケース。
【請求項５】
前記剃刀において剃刀頭部はホルダの先端部にあり、この剃刀頭部を前記収容部に収容した状態でこのホルダを支える位置決め部を備えたことを特徴とする請求項１から請求項４のうちいずれかの請求項に記載の剃刀用ケース。
【請求項６】
前記剃刀において剃刀頭部は、ホルダにあって把持部の先端部に設けた頭部と、このホルダ頭部に対し着脱可能に支持した替刃カートリッジと、この替刃カートリッジに被せられるキャップとを備え、
前記閉動連係部はこのホルダ頭部またはキャップと係合し、前記開動連係部はこのキャップまたはホルダ頭部と係合する
ことを特徴とする請求項１から請求項５のうちいずれかの請求項に記載の剃刀用ケース。
【発明の詳細な説明】
【０００１】
【発明の属する技術分野】
本発明は、剃刀頭部を収容し得る収容部を有する剃刀用ケースにおいて、この収容部に設けた開閉蓋の開閉手段に関するものである。
【０００２】
【従来の技術】
従来、例えば実開平３−３９０６号公報に示すように、剃刀を剃刀ケースに収容している。
【０００３】
【発明が解決しようとする課題】
ところが、剃刀ケースへ剃刀を収容する場合や、剃刀ケースから剃刀を取り出す場合には、剃刀ケースをわざわざ手で開閉操作して剃刀の収容動作や剃刀の取出動作を行わねばならず、使用上不便であった。
【０００４】
この発明は、剃刀用ケースへの剃刀の収容動作や剃刀用ケースからの剃刀の取出動作を簡単にして、剃刀用ケースを使用上便利にすることを目的としている。
【０００５】
【課題を解決するための手段及び発明の効果】
後記実施形態の図面（図１〜４）の符号を援用して本発明を説明する。
＊  請求項１の発明
この発明にかかる剃刀用ケース（１）は、下記のように構成されている。
【０００６】
この剃刀用ケース（１）は、刃体（１５ａ）を組み付けた剃刀頭部（１１）の全部または一部を収容し得る収容部（２）を有している。この収容部（２）には開状態（Ｐ）と閉状態（Ｑ）とを取り得る開閉蓋（５）を設けている。例えば、この収容部（２）において開閉蓋（５）は一つまたは複数の蓋部（１７）からなり、この蓋部（１７）が所定円周角度範囲（θ）で回動可能に支持されている。なお、開閉蓋（５）を回動させる必要はなく、例えば平行移動させるようにしてもよい。この剃刀用ケース（１）は、前記剃刀頭部（１１）を前記収容部（２）に入れる収容動作に伴いこの開閉蓋（５）が開状態（Ｐ）から閉状態（Ｑ）になるように剃刀（１０）例えば剃刀頭部（１１）と係合する閉動連係部（袋部１９の下側底壁部２３）と、前記剃刀頭部（１１）を前記収容部（２）から出す取出動作に伴いこの開閉蓋（５）が閉状態（Ｑ）から開状態（Ｐ）になるように剃刀（１０）例えば剃刀頭部（１１）と係合する開動連係部（袋部１９の上側底壁部２４）とを備えている。例えば、この閉動連係部（２３）及び開動連係部（２４）は、開閉蓋（５）に設けられている。刃体（１５ａ）を組み付けた剃刀頭部（１１）には、後記請求項６の発明で記載したように、ホルダ頭部（１４）に対し替刃カートリッジ（１５）及びキャップ（１６）を支持した剃刀頭部（１１）ばかりではなく、ホルダ頭部（１４）に対し替刃カートリッジ（１５）のみを支持した剃刀頭部（１１）や、ホルダ頭部（１４）に対し刃体（１５ａ）を一体的に取着した剃刀頭部（１１）なども含む。
【０００７】
この発明では、剃刀（１０）の収容動作時に開閉蓋（５）が自動的に閉じ、剃刀（１０）の取出動作時に開閉蓋（５）が自動的に開くので、この収容動作や取出動作が簡単になり、使用上便利になる。
【０００８】
＊  請求項２の発明
この発明は、請求項１の発明を前提として下記のように構成されている。
前記収容部（２）において開閉蓋（５）は回動支持部（１８）で回動可能に支持した一対の蓋部（１７）を有している。この両蓋部（１７）は開状態（Ｐ）で互いに離間するとともに閉状態（Ｑ）で互いに接近する。
【０００９】
この発明では、回動して互いに接近離間する両蓋部（１７）間に剃刀頭部（１１）を挿入してこの両蓋部（１７）間で剃刀頭部（１１）を移動させるだけの簡単な収容動作と、この両蓋部（１７）間で剃刀頭部（１１）を移動させてこの両蓋部（１７）間から剃刀頭部（１１）を離脱させるだけの簡単な取出動作とにより、開閉蓋（１７）が自動的に開閉する。そのため、使用上より一層使い易くなって便利になる。
【００１０】
＊  請求項３の発明
この発明は、請求項２の発明を前提として下記のように構成されている。
前記両蓋部（１７）は、回動支持部（１８）のほかに、この回動支持部（１８）から延設されて開口部（１９ａ）で相対向する袋部（１９）を有している。前記閉動連係部（２３）及び開動連係部（２４）はこの袋部（１９）に設けられている。例えば、この両蓋部（１７）の回動支持部（１８）は、両袋部（１９）の開口部（１９ａ）間に設けた収容間隙（２０）が延びる方向の両側のうち一方の側でこの収容間隙（２０）を挟んで互いに並設されている。
【００１１】
この発明では、両蓋部（１７）の袋部（１９）により剃刀頭部（１１）の両側を包み込むので、この両蓋部（１７）の袋部（１９）自体がケースとしての機能も果たし、収容部（２）の構造を簡単にすることができる。また、剃刀頭部（１１）の両側を包み込む両袋部（１９）自体に閉動連係部（２３）及び開動連係部（２４）を設けたので、剃刀頭部（１１）の収容動作及び取出動作に伴う両蓋部（１７）の開閉動を確実に行うことができる。
【００１２】
＊  請求項４の発明
この発明は、請求項３の発明を前提として下記のように構成されている。
前記収容動作は、両袋部（１９）の開口部（１９ａ）間に設けた収容間隙（２０）で剃刀頭部（１１）を両袋部（１９）の閉動連係部（２３）へ向けて移動させて両袋部（１９）内に入れる動作である。例えば、両袋部（１９）の開口部（１９ａ）間に設けた収容間隙（２０）が延びる方向の両側のうち一方の側で両蓋部（１７）の回動支持部（１８）を互いに並設した場合、この収容動作における剃刀頭部（１１）の移動向きは、この回動支持部（１８）の回動中心線（１８ａ）に対し接近させる向きである。前記取出動作は、この収容間隙（２０）で剃刀頭部（１１）を両袋部（１９）の開動連係部（２３）へ向けて移動させて両袋部（１９）内から取り出す動作である。例えば、両袋部（１９）の開口部（１９ａ）間に設けた収容間隙（２０）が延びる方向の両側のうち一方の側で両蓋部（１７）の回動支持部（１８）を互いに並設した場合、この取出動作における剃刀頭部（１１）の移動向きは、この回動支持部（１８）の回動中心線（１８ａ）に対し離間させる向きである。
【００１３】
この発明では、簡単な収容動作と簡単な取出動作とにより、開閉蓋（５）が自動的に開閉する。そのため、使用上より一層使い易くなって便利になる。
＊  請求項５の発明
この発明は、請求項１から請求項４のうちいずれかの請求項の発明を前提として下記のように構成されている。
【００１４】
前記剃刀（１０）において剃刀頭部（１１）はホルダ（１２）の先端部にある。この剃刀頭部（１１）を前記収容部（２）に収容した状態でこのホルダ（１２）を支える位置決め部（位置決め凹部としての窪み８ａ）を備えている。例えば、剃刀用ケース（１）は収容部（２）のほかに把持部（３）を備え、この位置決め部（８ａ）はこの把持部（３）で収容部（２）の開閉蓋（５）と隣接して設けられている。例えば、この把持部（３）には替刃カートリッジ（１５）を収容する保管部（６）を開閉可能に設けている。
【００１５】
この発明では、剃刀頭部（１１）を収容部（２）で支えるばかりではなく、ホルダ（１２）を位置決め部（８ａ）で支えるので、剃刀用ケース（１）に剃刀（１０）を確実に保持することができる。
【００１６】
＊  請求項６の発明
この発明は、請求項１から請求項５のうちいずれかの請求項の発明を前提として下記のように構成されている。
【００１７】
前記剃刀（１０）において剃刀頭部（１１）は、ホルダ（１２）にあって把持柄（１３）の先端部に設けたホルダ頭部（１４）と、このホルダ頭部（１４）に対し着脱可能に支持した替刃カートリッジ（１５）と、この替刃カートリッジ（１５）に被せられるキャップ（１６）、例えばこの替刃カートリッジ（１５）を囲うようにホルダ頭部（１４）に支持したキャップ（１６）とを備えている。前記閉動連係部（２３）はこのホルダ頭部（１４）またはキャップ（１６）と係合する。前記開動連係部（２４）はこのキャップ（１６）またはホルダ頭部（１４）と係合する。
【００１８】
この発明では、キャップ（１６）により替刃カートリッジ（１５）を保護することができるばかりではなく、剃刀用ケース（１）側の閉動連係部（２３）または開動連係部（２４）に対し剃刀（１０）側のホルダ頭部（１４）またはキャップ（１６）を当接させることができる。そのため、剃刀頭部（１１）の収容動作及び取出動作に伴う両蓋部（１７）の開閉動を確実に行うことができる。
【００１９】
【発明の実施の形態】
以下、本発明の一実施形態にかかる剃刀用ケースについて図面を参照して説明する。
【００２０】
＜図１（ａ）（ｂ）、図２及び図３（ａ）に示す剃刀用ケース１の概要＞
この剃刀用ケース１は、プラスチックにより成形され、上半部の収容部２と下半部の把持部３とからなる。この収容部２は背板４の前側に開閉蓋５（後で詳述）を有している。この把持部３は背板４の前側に保管部６を有している。この保管部６は、背板４の前部に一体成形された容器７と、この容器７の下端部に対し着脱可能に支持されて上下方向へ回動し得る蓋体８とを有している。この蓋体８は、前記開閉蓋５に隣接して外側に窪み８ａ（位置決め凹部）を有し、上方へ回動して容器７を閉じ、下方へ回動して容器７を開く。前記背板４の後側には、壁面などに対し着脱可能に支持される取付部として、上下の引掛孔９が形成されている。この引掛孔９に代えて吸盤や面ファスナーを取り付けてもよい。
【００２１】
＜図３（ｂ）に示す剃刀１０の概要＞
一方、前記剃刀用ケース１に収容される剃刀１０において剃刀頭部１１は、ホルダ１２にあって把持柄１３の先端部に設けられて各種機構を収容するホルダ頭部１４のほかに、替刃カートリッジ１５やキャップ１６も含む。この替刃カートリッジ１５には例えば三枚の刃体１５ａが組み込まれている。図示しないが、この替刃カートリッジ１５は、ホルダ頭部１４から延設された両支持アームにより着脱可能に支持され、ホルダ頭部１４から突出するプッシャにより圧接されながら両支持アームを中心に上下方向へ頃動して首振りする。このキャップ１６は、この替刃カートリッジ１５を囲うようにホルダ頭部１４に対し着脱可能に支持される。なお、この替刃カートリッジ１５の予備は前記保管部６に収容される。
【００２２】
＜前記剃刀用ケース１において開閉蓋５の詳細＞
この開閉蓋５は、回動支持部１８で回動可能に支持された一対の蓋部１７を有している。この両蓋部１７は、回動支持部１８のほかに、この回動支持部１８から延設されて開口部１９ａで相対向する袋部１９を有している。この両蓋部１７の回動支持部１８は、両袋部１９の開口部１９ａ間に設けられた収容間隙２０が延びる上下方向の両側のうち下側でこの収容間隙２０を挟んで互いに並設されている。この両蓋部１７は、回動支持部１８の回動中心線１８ａを中心に前記背板４に沿って所定円周角度範囲θだけ回動して開閉し得る。この両蓋部１７が開動してそれらの間の収容間隙２０で互いに離間すると、図３（ａ）に示すように、背板４に突設されたストッパ２１に回動支持部１８が当接して最大に開いた開状態Ｐになる。この両蓋部１７が閉動してそれらの間の収容間隙２０で互いに接近すると、図１（ａ）（ｂ）に示すように、背板４に突設されたストッパ２２に回動支持部１８が乗り上げた回動抵抗付与状態で両袋部１９が開口部１９ａで当接した閉状態Ｑになる。前記両袋部１９は、回動支持部１８に隣接して形成された下側底壁部２３（閉動連係部）と、この下側底壁部２３から上方へ延設された上側底壁部２４（開動連係部）とを有している。
【００２３】
＜前記剃刀用ケース１に対する前記剃刀１０の収容動作及び取出動作＞
図３（ａ）に示すように、収容部２において開閉蓋５の両蓋部１７を開状態Ｐにするとともに、把持部３の保管部６において蓋体８を閉じる。一方、図３（ｂ）に示すように、剃刀１０の剃刀頭部１１においては、キャップ１６をホルダ頭部１４に支持して替刃カートリッジ１５を囲う。その状態で、図４（ａ）に示すように、この両蓋部１７の袋部１９間の収容間隙２０にこの剃刀頭部１１を挿入する。その後、この収容間隙２０でこの剃刀頭部１１を回動支持部１８の回動中心線１８ａに対し接近させるように下方へ移動させると、両袋部１９の下側底壁部２３（閉動連係部）にこの剃刀頭部１１のホルダ頭部１４が当接する。そのため、図４（ｂ）に示すように、両蓋部１７が閉状態Ｑになり、剃刀頭部１１が両袋部１９に収容される。ホルダ１２の把持柄１３は、保管部６の蓋体８で窪み８ａ（位置決め凹部）に入り込んで支えられる。
【００２４】
図４（ｂ）に示す状態で、剃刀頭部１１を回動支持部１８の回動中心線１８ａに対し離間させるように上方へ移動させると、両袋部１９の上側底壁部２４（開動連係部）にこの剃刀頭部１１のキャップ１６が当接する。そのため、図４（ａ）に示すように、両蓋部１７が開状態Ｐになる。その後、両袋部１９間の収容間隙２０から剃刀頭部１１を抜いて取り出す。
【図面の簡単な説明】
【図１】  （ａ）は本実施形態にかかる剃刀用ケースにおいて収容部の開閉蓋を閉動させるとともに把持部の保管部を閉じた状態を示す正面図であり、（ｂ）は同じく側面図である。
【図２】  本実施形態にかかる剃刀用ケースにおいて収容部の開閉蓋を開動させるとともに把持部の保管部を開いた状態を示す正面図である。
【図３】  （ａ）は本実施形態にかかる剃刀用ケースにおいて収容部の開閉蓋を開動させるとともに把持部の保管部を閉じた状態を示す正面図であり、（ｂ）はキャップを被せた剃刀を示す一部切欠き側面図である。
【図４】  （ａ）は剃刀用ケースに剃刀を収容する途中状態または剃刀用ケースから剃刀を取り出す途中状態を示す正面図であり、（ｂ）は剃刀用ケースに剃刀を収容した状態を示す正面図である。
【符号の説明】
１…剃刀用ケース、２…収容部、３…把持部、５…開閉蓋、８ａ…窪み（位置決め凹部）、１０…剃刀、１１…剃刀頭部、１２…ホルダ、１３…把持柄、１４…ホルダ頭部、１５…替刃カートリッジ、１５ａ…刃体、１６…キャップ、１７…蓋部、１８…回動支持部、１９…袋部、１９ａ…開口部、２０…収容間隙、２３…下側底壁部（閉動連係部）、２４…上側底壁部（開動連係部）、Ｐ…開状態、Ｑ…閉状態、θ…所定円周角度範囲。
【図１】
0003818895.tif 000002
【図２】
0003818895.tif 000003
【図３】
0003818895.tif 000004
【図４】
0003818895.tif 000005